(57)【要約】【課題】外胴ドアを大きくすることにより被洗物が損傷するおそれがあった洗濯脱水機において、外胴ドアを大きくして使いやすくしたままで、被洗物が損傷するおそれのない業務用洗濯脱水機を提供する。【解決手段】洗濯脱水機１における洗濯液を収納する外胴２と、外胴の内側で被洗物を収容して水平な回転軸を中心に備えて回転する内胴３とを備え、内胴の正面中央に開口部を設け、かつ内胴の開口部と相対向する外胴部分に開口部を設けるとともに外胴の開口部を開閉する外胴ドア４を設けて被洗物を出し入れする業務用洗濯脱水機において、内胴の開口部に開閉自在な内胴蓋５を配設し、洗濯脱水時には内胴蓋を閉止し、被洗物の出し入れに際しては内胴蓋を開放する。【選択図】図１
2016067375.tif 000002
【特許請求の範囲】
【請求項１】
洗濯液を収納する外胴と、該外胴の内側で被洗物を収容して水平な回転軸を中心に備えて回転する内胴とを備え、該内胴の正面中央に開口部を設け、かつ該内胴の開口部と相対向する外胴部分に開口部を設けるとともに該外胴の開口部を開閉する外胴ドアを設けて被洗物を出し入れする業務用洗濯脱水機において、
内胴の開口部に開閉自在な内胴蓋を配設し、洗濯脱水時には内胴蓋を閉止し、被洗物の出し入れに際しては内胴蓋を開放することを特徴とする業務用洗濯脱水機の内胴蓋構造。
【請求項２】
外胴ドアの中央部分とこれに相対向する内胴蓋の中央部分には互いに着脱自在に係合する係合部を設け、内胴から取り外した内胴蓋を外胴ドアに係止可能とすることを特徴とする請求項１に記載の業務用洗濯脱水機の内胴蓋構造。
【請求項３】
内胴の開口部の周縁とこれに相対向する内胴蓋の外周縁には互いに着脱自在に係合する係合部を設け、外胴ドアを閉止する際に該外胴ドア内側に係止している内胴蓋が内胴の開口部を閉蓋することを特徴とする請求項１又は２に記載の業務用洗濯脱水機の内胴蓋構造。
【発明の詳細な説明】
【技術分野】
【０００１】
本発明は、被洗物を回転するドラムを用いて洗濯・脱水する業務用洗濯脱水機において、内胴内で転動する被洗物を損傷させるおそれなく好適に洗濯・脱水することができるように工夫を凝らした業務用洗濯脱水機の内胴蓋構造に関するものである。
【背景技術】
【０００２】
従来、洗濯と脱水を一つのドラム（内胴）で行う業務用洗濯脱水機２１は、図４に示すように、外胴２２の内側に、水平軸を中心に回転（又は揺動）する内胴２３を配置し、外胴２２の正面に設けた開口部を開閉する外胴ドア２４を配設している。そして、被洗物を投入・取り出しするに際して、外胴ドア２４を開けて外胴２２の正面に開いた円形の開口部から出し入れを行っている。
【０００３】
その外胴２２の開口部には、外胴ドア２４がヒンジにより開閉自在に配置され、大きく開いて被洗物を出し入れしやすくするとともに、閉じた状態では内部の洗濯液が外胴外に漏出することがないように密閉状態を保持している。
また、内胴２３にも外胴ドア２４に対応する大きさの開口部２５を設けて、外胴ドア２４を開けた状態で内胴２３を大きく開口して被洗物を出し入れするものである（特許文献１参照）。
そして、使用者の使い勝手としては、開口部が大きいほど被洗物の出し入れがしやすくなることから、市場からの要請もあって、近年の業務用洗濯脱水機は、外胴２２の開口部、すなわち外胴ドア２４が大きくなる傾向にあった。
【先行技術文献】
【特許文献】
【０００４】
【特許文献１】特開２００４−８１７３３号公報
【発明の概要】
【発明が解決しようとする課題】
【０００５】
しかしながら、外胴２２の正面の開口部、すなわち外胴ドア２４の径が大きくなることにより、業務用洗濯脱水機２１は被洗物の出し入れがしやすくなったものの、これまでにはなかった問題が生じるものであった。それは、図５に示すように、内胴２３内に収納され洗濯・すすぎ時に転動する被洗物２６が、固定され動かない外胴ドア２４と回動する内胴の開口部端縁との間隙に入り込んだり引っかかったりして損傷するというものであった。
これは、外胴ドア２４の径を大きくすることで、外胴ドア２４の下端が内胴２３底部に近づき、これにより内胴２３の底部で転動している被洗物が、固定されている外胴ドア２４に接触しやすくなったことによるものである。
この固定されている外胴ドア２４と回転する内胴２３との間には、回転により発生する径方向の振れを考慮した上でのクリアランスが必要であり、被洗物２６が入り込まないほど狭めることは困難であった。
【０００６】
本発明は、このような実情に鑑みてなされたものであり、これまで外胴ドアを大きくすることにより被洗物が損傷するおそれがあった洗濯脱水機において、外胴ドアを大きくして使いやすくしたままで、被洗物が損傷するおそれのない業務用洗濯脱水機を提供しようとするものである。
【課題を解決するための手段】
【０００７】
上記課題に鑑みて鋭意研究の結果、本発明者は、これまで外胴ドアのみで閉止していた構造を改良して、内胴にもドアを備えることにより、被洗物が損傷するおそれなく好適に洗濯脱水することのできる業務用洗濯脱水機を案出するに至った。
【０００８】
すなわち、本発明の業務用洗濯脱水機の内胴蓋構造は、洗濯液を収納する外胴と、該外胴の内側で被洗物を収容して水平な回転軸を中心に備えて回転する内胴とを備え、該内胴の正面中央に開口部を設け、かつ該内胴の開口部と相対向する外胴部分に開口部を設けるとともに該外胴の開口部を開閉する外胴ドアを設けて被洗物を出し入れする業務用洗濯脱水機において、内胴の開口部に開閉自在な内胴蓋を配設し、洗濯脱水時には内胴蓋を閉止し、被洗物の出し入れに際しては内胴蓋を開放することを特徴とする。
本発明によれば、これまで外胴ドアを大きくすることにより被洗物が損傷するおそれがあった洗濯脱水機において、外胴ドアを大きくして使いやすくしたままで、被洗物は損傷するおそれがないものである。
【０００９】
また本発明の業務用洗濯脱水機の内胴蓋構造は、外胴ドアの中央部分とこれに相対向する内胴蓋の中央部分には互いに着脱自在に係合する係合部を設け、内胴から取り外した内胴蓋を外胴ドアに係止可能とすることを特徴とする。
【００１０】
また本発明の業務用洗濯脱水機の内胴蓋構造は、内胴の開口部の周縁とこれに相対向する内胴蓋の外周縁には互いに着脱自在に係合する係合部を設け、外胴ドアを閉止する際に該外胴ドア内側に係止している内胴蓋が内胴の開口部を閉蓋することを特徴とする。
【図面の簡単な説明】
【００１１】
【図１】本発明の業務用洗濯脱水機を示す説明図である。
【図２】本発明の業務用洗濯脱水機の内胴蓋を内胴に係止する流れを示す説明図である。
【図３】本発明の業務用洗濯脱水機の内胴蓋を外胴ドアに掛止する動作を示す説明図である。
【図４】従来の業務用洗濯脱水機を示す説明図である。
【図５】従来の業務用洗濯脱水機を示す説明図である。
【発明を実施するための形態】
【００１２】
以下、添付図面を参照しながら、本発明に係る業務用洗濯脱水機の内胴蓋構造を実施するための形態を詳細に説明する。図１乃至図３は、本発明の実施の形態を例示する図であり、これらの図において、同一の符号を付した部分は同一物を表わし、基本的な構成及び機能は同様であるものとする。
【００１３】
図１は、本発明の業務用洗濯脱水機とその要部詳細を示しており、図中２は洗濯液を収納して溜める外胴、３は外胴２の内側で被洗物を収容して水平方向の回転軸中心に回転する内胴、４は外胴２正面の開口部を開閉する外胴ドア、５は内胴３正面の開口部を開閉する内胴蓋を示している。
さらにＡ部詳細に示すように、内胴蓋５の構造は、外胴２の開口部に対応して同様の径で開口した内胴３の開口部に、その開口縁に沿って内側からフランジ部６を形成するとともに、このフランジ部６の全周に渡って円板状の内胴蓋５の外周縁を当接させて、内胴蓋５とフランジ部６とを蝶ボルト７にて複数個所螺着するものである。
これにより、洗濯を始める際には、まず蝶ボルト７を緩め外して内胴蓋５を取り外してから内胴３内に被洗物を投入し、再び内胴蓋５を蝶ボルト７で内胴３のフランジ部６に取り付け、さらに外胴ドア４を締め、それから洗濯を開始する。
次に、洗濯が終了すると、外胴ドア４を開け、蝶ボルト７を緩め外して内胴蓋５を取り外し、内胴３内の被洗物を取り出すものである。
また、外胴ドア４と内胴蓋５については、閉めた際に内胴３内での被洗物の洗濯の状態を視認できるように、一部又は全部を透光性の材料により構成してもよいものである。さらに内胴蓋５については、外胴ドア４と異なり内部の洗濯液を完全密閉する必要がないことから、被洗物に影響しない範囲で孔を設けてもよいものである。
【００１４】
図２は、内胴蓋の他の実施例を示しており、内胴３正面の開口端を前方に９０度曲げてリブ８を形成している。
一方、この内胴蓋１０の外周縁にも、内胴３のリブ８に対応するように縁を前方に９０度曲げてリブ９を設けるとともに、このリブ９を内から外に貫通して設けられたロックピン１１が、その先端をリブ８に形成した係合凹部１２に対して挿脱自在に係合する構造としている。
【００１５】
ロックピン１１の構造としては、図２（１）に示すように、通常はリブ９の内側に引っ込んだ状態であり、これはバネ等で付勢してもよいし、回転して固定する方式でもよいものである。
そして、図２（３）に示すように、ロックピン１１が係合凹部１２に対向する位置にある状態で、ロックピン１１を係合凹部１２に押し込んで、その状態を保持させることにより、内胴蓋１０を内胴３に固定する。これにより、内胴蓋１０は内胴３と一体に回転する。
また、内胴蓋１０を内胴３から取り外す際には、ロックピン１１を引っ張って係合凹部１２から抜去するとともに、回転させることでリブ９の内側に引っ込んだ状態を保持させるものである。
【００１６】
そして、内胴３から取り外した内胴蓋１０については、図３に示すように、外胴ドア１３裏面の中心にフック状の掛止部１４を形成するとともに、このフック状の掛止部１４に着脱自在に係合する貫通孔などからなる係合部１５を内胴蓋１０の中心付近に形成する。そして、外胴ドア１３を開けた状態で、外胴ドア１３裏面の掛止部１４に、取り外した内胴蓋１０の掛止部１５を、引っ掛けるものである。これにより、内胴開口部から取り外した内胴蓋１０を床などに載置することなく、図３の（１）→（２）の順序で外胴ドア１３近傍に清潔な状態で留め置くことができる。
【００１７】
以上、本発明の業務用洗濯脱水機の内胴蓋構造について、具体的な実施の形態を示して説明したが、本発明はこれらに限定されるものではない。当業者であれば、本発明の要旨を逸脱しない範囲内において、上記実施形態における業務用洗濯脱水機の内蓋構造の構成及び機能に様々な変更・改良を加えることが可能である。
【産業上の利用可能性】
【００１８】
本発明の業務用洗濯脱水機の内胴蓋構造は、業務用洗濯脱水機を製造する産業において利用することができるものである。
【符号の説明】
【００１９】
１：業務用洗濯脱水機
２：外胴
３：内胴
４：外胴ドア
５：内胴蓋
７：蝶ボルト
１０：内胴蓋
１１：ロックピン
１２：係合凹部
１３：外胴ドア
１４：掛止部    １５：掛止部
【図１】
2016067375.tif 000003
【図２】
2016067375.tif 000004
【図３】
2016067375.tif 000005
【図４】
2016067375.tif 000006
【図５】
2016067375.tif 000007